(57)【要約】【課題】外観品質を高めることができる芯材の隠蔽構造を提供する。【解決手段】芳香剤１の容器体１１内に隠蔽部材５１を収容する。隠蔽部材５１を、着色された不透明なフィルムによって形成する。この隠蔽部材５１を、容器体１１の前面１３と芳香液２６を吸い上げる芯材２７との間に配設して芯材２７を隠蔽する。【選択図】        図３
2004267382.tif 000002
【特許請求の範囲】
【請求項１】
少なくとも前面の一部から内部を透視可能な容器体内に、内部の液体を吸い上げる芯材が設けられた芯材の隠蔽構造において、
前記容器体の前面と前記芯材との間に、少なくとも正面視において前記芯材の少なくとも一部を隠蔽する不透明な隠蔽部材を配設したことを特徴とする芯材の隠蔽構造。
【請求項２】
前記隠蔽部材を、着色や装飾による不透明部が形成されたフィルムで構成したことを特徴とする請求項１記載の芯材の隠蔽構造。
【請求項３】
前記隠蔽部材で前記芯材を包囲したことを特徴とする請求項１又は２記載の芯材の隠蔽構造。
【請求項４】
少なくとも前面から内部を透視可能な容器体内に、内部の液体を吸い上げる芯材が設けられた芯材の隠蔽構造において、
前記容器体の前面に、当該容器体正面から視認できる前表示部を設け、前記容器体の前面と前記芯材との間に、少なくとも正面視において前記芯材の少なくとも一部を隠蔽しかつ正面から視認できる内表示部が形成された隠蔽部材を配設したことを特徴とする芯材の隠蔽構造。
【請求項５】
少なくとも前面から内部を透視可能な容器体内に、内部の液体を吸い上げる芯材が設けられた芯材の隠蔽構造において、
前記容器体の後面に、当該容器体正面から視認できる後表示部を設け、前記容器体の前面と前記芯材との間に、少なくとも正面視において前記芯材の少なくとも一部を隠蔽しかつ正面から視認できる内表示部と前記後表示部を視認できる中視認領域とが設けられた隠蔽部材を配設したことを特徴とする芯材の隠蔽構造。
【請求項６】
前記容器体の前面に、当該容器体正面から視認できる前表示部と、前記内表示部及び前記後表示部の両者の少なくとも一部を視認できる前視認領域とを設けたことを特徴とする請求項５記載の芯材の隠蔽構造。
【請求項７】
少なくとも前面の一部から内部を透視可能な容器体内に、内部の液体を吸い上げる芯材が設けられた芯材の隠蔽構造において、
前記芯材と前記液体とを同系色に設定したことを特徴とする芯材の隠蔽構造。
【請求項８】
少なくとも前面の一部から内部を透視可能な容器体内に、内部の液体を吸い上げる芯材が設けられた芯材の隠蔽構造において、
前記芯材と、内部を透視可能な前記容器体の透視可能領域とを同系色に設定したことを特徴とする芯材の隠蔽構造。
【請求項９】
前記芯材に、前記透視可能領域と同系色のフィルムを巻き付け、前記芯材と前記透視可能領域とを同系色に設定したことを特徴とする請求項８記載の芯材の隠蔽構造。
【発明の詳細な説明】
【０００１】
【発明の属する技術分野】
本発明は、芳香剤などの液体を吸い上げる為に容器内に収容された芯材の隠蔽構造に関する。
【０００２】
【従来の技術】
従来、芳香剤の容器体には、芳香液が収容されており、前記容器体内には、前記芳香液を吸い上げる芯材が収容されている。
【０００３】
【発明が解決しようとする課題】
しかしながら、このような従来にあっては、芳香液の残量が分かるように容器体が透明に形成されている。これにより、内部の芯材が全域に渡って外部から見えるため、外観品質の低下を招いていた。
【０００４】
本発明は、このような従来の課題に鑑みてなされたものであり、外観品質を高めることができる芯材の隠蔽構造を提供することを目的とするものである。
【０００５】
【課題を解決するための手段】
前記課題を解決するために本発明の請求項１の芯材の隠蔽構造にあっては、少なくとも前面の一部から内部を透視可能な容器体内に、内部の液体を吸い上げる芯材が設けられた芯材の隠蔽構造において、前記容器体の前面と前記芯材との間に、少なくとも正面視において前記芯材の少なくとも一部を隠蔽する不透明な隠蔽部材を配設した。
【０００６】
すなわち、液体を収容した容器体には、少なくとも一部から内部を透視できる透視可能領域が形成されており、この透視可能領域より液体の残量が確認される。このとき、前記液体を吸い上げる芯材と容器体前面との間には、少なくとも正面視において前記芯材の少なくとも一部を隠蔽する不透明な隠蔽部材が配設され、該隠蔽部材によって前記芯材の少なくとも一部が隠蔽される。
【０００７】
これにより、液体残量の視認性を確保しつつ、芯材の全域に渡る露出が防止される。
【０００８】
また、請求項２の芯材の隠蔽構造においては、前記隠蔽部材を、着色や装飾による不透明部が形成されたフィルムで構成した。
【０００９】
すなわち、芯材を隠蔽する隠蔽部材は、着色や装飾による不透明部が形成されたフィルムで構成されている。このため、前記芯材を隠蔽しつつ、不透明部を形成する着色や装飾が表出される。
【００１０】
さらに、請求項３の芯材の隠蔽構造では、前記隠蔽部材で前記芯材を包囲した。
【００１１】
これにより、芯材は、全周面が前記隠蔽部材で隠蔽され、全方向への露出が防止される。
【００１２】
また、本発明の請求項４の芯材の隠蔽構造にあっては、少なくとも前面から内部を透視可能な容器体内に、内部の液体を吸い上げる芯材が設けられた芯材の隠蔽構造において、前記容器体の前面に、当該容器体正面から視認できる前表示部を設け、前記容器体の前面と前記芯材との間に、少なくとも正面視において前記芯材の少なくとも一部を隠蔽しかつ正面から視認できる内表示部が形成された隠蔽部材を配設した。
【００１３】
すなわち、液体を収容した容器体には、少なくとも一部から内部を透視できる透視可能領域が形成されており、この透視可能領域より液体の残量が確認される。このとき、前記液体を吸い上げる芯材と容器体前面との間には、少なくとも正面視において前記芯材の少なくとも一部を隠蔽しかつ正面から視認できる内表示部が形成された隠蔽部材が配設され、該隠蔽部材によって前記芯材が少なくとも一部が隠蔽される。
【００１４】
これにより、液体残量の視認性を確保しつつ、芯材の全域に渡る露出が防止される。
【００１５】
このとき、前記容器体の前面には、当該容器体正面から視認できる前表示部が設けられており、前記隠蔽部材の内表示部の手前側に、前記前表示部を視認することができる。
【００１６】
さらに、本発明の請求項５の芯材の隠蔽構造では、少なくとも前面から内部を透視可能な容器体内に、内部の液体を吸い上げる芯材が設けられた芯材の隠蔽構造において、前記容器体の後面に、当該容器体正面から視認できる後表示部を設け、前記容器体の前面と前記芯材との間に、少なくとも正面視において前記芯材の少なくとも一部を隠蔽しかつ正面から視認できる内表示部と前記後表示部を視認できる中視認領域とが設けられた隠蔽部材を配設した。
【００１７】
すなわち、液体を収容した容器体には、少なくとも一部から内部を透視できる透視可能領域が形成されており、この透視可能領域より液体の残量が確認される。このとき、前記液体を吸い上げる芯材と容器体前面との間には、少なくとも正面視において前記芯材の少なくとも一部を隠蔽しかつ正面から視認できる内表示部が形成された隠蔽部材が配設され、該隠蔽部材によって前記芯材が少なくとも一部が隠蔽される。
【００１８】
これにより、液体残量の視認性を確保しつつ、芯材の全域に渡る露出が防止される。
【００１９】
このとき、前記容器体の後面には、当該容器体正面から視認できる後表示部が設けられており、前記隠蔽部材には、前記後表示部を視認できる中視認領域が設けられている。このため、前記隠蔽部材の内表示部の奥側に、前記後表示部を視認することができる。
【００２０】
加えて、請求項６の芯材の隠蔽構造においては、前記容器体の前面に、当該容器体正面から視認できる前表示部と、前記内表示部及び前記後表示部の両者の少なくとも一部を視認できる前視認領域とを設けた。
【００２１】
これにより、前記隠蔽部材の内表示部の手前側に前表示部を視認できるとともに、奥側に前記後表示部を視認することができる。
【００２２】
また、本発明の請求項７の芯材の隠蔽構造にあっては、少なくとも前面の一部から内部を透視可能な容器体内に、内部の液体を吸い上げる芯材が設けられた芯材の隠蔽構造において、前記芯材と前記液体とを同系色に設定した。
【００２３】
すなわち、液体を収容した容器体には、少なくとも一部から内部を透視できる透視可能領域が形成されており、この透視可能領域より液体の残量が確認される。このとき、前記液体を吸い上げる芯材と前記液体とは同系色に設定されており、前記芯材が前記液体に同化することによって、当該芯材が隠蔽される。
【００２４】
これにより、液体残量の視認性を確保しつつ、芯材の露出が防止される。
【００２５】
そして、本発明の請求項８の芯材の隠蔽構造にあっては、少なくとも前面の一部から内部を透視可能な容器体内に、内部の液体を吸い上げる芯材が設けられた芯材の隠蔽構造において、前記芯材と、内部を透視可能な前記容器体の透視可能領域とを同系色に設定した。
【００２６】
すなわち、液体を収容した容器体には、少なくとも一部から内部を透視できる透視可能領域が形成されており、この透視可能領域より液体の残量が確認される。このとき、前記液体を吸い上げる芯材と前記透視可能領域とは同系色に設定されており、前記芯材が前記透視可能領域と同化することによって、当該芯材が隠蔽される。
【００２７】
これにより、液体残量の視認性を確保しつつ、芯材の露出が防止される。
【００２８】
また、請求項９の芯材の隠蔽構造においては、前記芯材に、前記透視可能領域と同系色のフィルムを巻き付け、前記芯材と前記透視可能領域とを同系色に設定した。
【００２９】
これにより、芯材の隠蔽と芯材の保護とが同時に行われる。
【００３０】
【発明の実施の形態】
（第１の実施の形態）
【００３１】
以下、本発明の第１の実施の形態を図に従って説明する。図１には、本実施の形態にかかる芯材の隠蔽構造を備えた芳香剤１が、その一例として示されている。
【００３２】
この芳香剤１は、無色透明の容器体１１と、該容器体１１に取り付けられたキャップ１２とによって構成さている。前記容器体１１は、楕円形状に形成されており、曲率半径が大きく緩やかに湾曲した対向する側面部分が、前面１３及び後面を構成している。この容器体１１の上部には、図２に示すように、一般部より縮径した円筒状の縮径部１４が形成されており、該縮径部１４には、内部に連通する上方に開口した開口部１５が設けられている。
【００３３】
前記キャップ１２は、前記容器体１１の前記縮径部１４に取り付けられる筒部２１を備えており、該筒部２１内面には、前記縮径部１４周面の雄ネジ部２２に螺合する雌ネジ部２３が形成されている。また、前記筒部２１には、前記縮径部１４に内嵌する内嵌部２４が設けられており、該内嵌部２４の基端側からは、パイプ２５が下方へ向けて延出している。このパイプ２５内には、前記容器体１１に収容された液体としての芳香液２６を吸い上げる芯材２７が底面２８へ向けて延出している。
【００３４】
前記筒部２１の上部には、穴３１，・・・を有する載置部３２が形成されており、該載置部３２と当該キャップ１２の天面３３間には、前記芯材２７によって吸い上げられた芳香液２６を吸収する揮散体３４が収容されている。そして、前記キャップ１２の天面３３及び側面３５には、図１及び図２にも示したように、多数のスリット３６，・・・が開設されており、前記揮散体３４に吸収された芳香液２６を、蒸散して各スリット３６，・・・から放出できるように構成されている。
【００３５】
前記容器体１１の後面には、当該後面のほぼ全域を覆う長方形状のシールが貼着されており（図示省略）、容器体１１の背面側を形成するシールの一面には、当該芳香剤１の説明書きが印刷されている。これにより、前記容器体１１の前面１３側には、内部を透視できる透視可能領域４１が形成されている。
【００３６】
この容器体１１内部には、図３の（ａ）に示すように、隠蔽部材５１が収容されており、該隠蔽部材５１は、着色された不透明なフィルムによって形成されている。この隠蔽部材５１は、前記容器体１１の前面１３と前記芯材２７との間に配設されており、当該芯材２７を隠蔽するように構成されている。
【００３７】
以上の構成にかかる本実施の形態において、芳香液２６を収容した容器体１１の前面１３は、内部を透視できる透視可能領域４１が形成されており、この透視可能領域４１より芳香液２６の残量が確認される。このとき、前記芳香液２６を吸い上げる芯材２７と容器体１１の前面１３との間には、不透明な隠蔽部材５１が配設されており、該隠蔽部材５１によって前記芯材２７が隠蔽される。これにより、芳香液２６残量の視認性を確保しつつ、芯材２７の露出を防止することができる。
【００３８】
したがって、内部の芯材２７が外部から見える従来と比較して、外観品質を高めることができる。
【００３９】
また、前記隠蔽部材５１は、着色されて不透明部が形成されたフィルムによって構成されている。このため、前記芯材２７を隠蔽しつつ、不透明部を構成する着色を表出することができる。
【００４０】
よって、芯材２７の露出の防止と、デザインの向上とを図ることができる。
【００４１】
なお、本実施の形態にあっては、少なくとも正面視において、前記芯材２７が前記隠蔽部材５１によって隠蔽されている。
【００４２】
（第２の実施の形態）
【００４３】
図３の（ｂ）は、第２の実施の形態を示す図であり、第１の実施の形態を異なる部分に付いてのみ説明し、同一又は同等の箇所は、同符号を付して説明を割愛する。
【００４４】
すなわち、芳香剤１の容器体１１の内部には、フィルムがロケット形状に形成されてなる隠蔽部材５１が収容されており、該隠蔽部材５１は、ロケットの絵の装飾６１が施された不透明部が形成されている。この隠蔽部材５１は、前記容器体１１の前面１３と前記芯材２７との間に配設されており、当該芯材２７を隠蔽した状態で、図外の位置で固定されている。そして、この隠蔽部材５１は、前記芯材２７を全長に渡って隠蔽する長さ寸法に設定されている。
【００４５】
この芳香剤１にあっても、第１の実施の形態と同様に、芳香液２６残量の視認性を確保しつつ、芯材２７の露出を防止することができる。これにより、内部の芯材２７が外部から見える従来と比較して、外観品質を高めることができる。
【００４６】
また、前記隠蔽部材５１には、ロケットの絵の装飾６１からなる不透明部が形成されたフィルムによって構成されている。このため、前記芯材２７を隠蔽しつつ、ロケットの絵を表出することができる。よって、芯材２７の露出の防止と、デザインの向上とを図ることができる。
【００４７】
なお、本実施の形態にあっても、少なくとも正面視において、前記芯材２７が前記隠蔽部材５１によって隠蔽されている。
【００４８】
（第３の実施の形態）
【００４９】
図４の（ａ）は、第３の実施の形態を示す図であり、第１の実施の形態を異なる部分に付いてのみ説明し、同一又は同等の箇所は、同符号を付して説明を割愛する。
【００５０】
すなわち、芳香剤１の容器体１１の内部には、フィルムが円筒状に形成されてなる隠蔽部材５１が収容されている。この隠蔽部材５１の中心部には、前記芯材２７が配置されており、当該隠蔽部材５１は、前記容器体１１の前面１３と前記芯材２７との間に介在している。この隠蔽部材５１は、前記芯材２７を隠蔽した状態で、図外の固定手段で固定されており、前記芯材２７を全長に渡って隠蔽する長さ寸法に設定されている。
【００５１】
この芳香剤１にあっても、第１の実施の形態と同様に、芳香液２６残量の視認性を確保しつつ、芯材２７の露出を防止することができる。これにより、内部の芯材２７が外部から見える従来と比較して、外観品質を高めることができる。
【００５２】
また、円筒状の前記隠蔽部材５１で芯材２７を包囲することによって、芯材２７を、その全周面から隠蔽し、全方向への露出を防止することができる。
【００５３】
（第４の実施の形態）
【００５４】
図４の（ｂ）は、第４の実施の形態を示す図であり、フィルムがコ字状に折曲されてなる隠蔽部材５１によって芯材２７が隠蔽されている。
【００５５】
なお、本実施の形態にあっては、少なくとも正面視において、前記芯材２７のが前記隠蔽部材５１によって隠蔽されている。
【００５６】
（第５の実施の形態）
【００５７】
図４の（ｃ）は、第５の実施の形態を示す図であり、フィルムがＶ字状に折曲されてなる隠蔽部材５１によって芯材２７が隠蔽されている。
【００５８】
これら第４及び第５の実施の形態にあっても、第１の実施の形態を同様の効果を得ることができる。
【００５９】
なお、本実施の形態にあっても、少なくとも正面視において、前記芯材２７のが前記隠蔽部材５１によって隠蔽されている。
【００６０】
（第６の実施の形態）
【００６１】
図５は、第６の実施の形態を示す図であり、第１の実施の形態を異なる部分に付いてのみ説明し、同一又は同等の箇所は、同符号を付して説明を割愛する。
【００６２】
すなわち、芳香剤１の容器体１１の内部であって、芳香液２６を吸い上げる芯材２７と容器体１１の前面１３との間には、無色透明のフィルムからなる隠蔽部材５１が収容されており、該隠蔽部材５１は、前記容器体１１の一般部内に配置される長方形状の本体１０１と、該本体１０１の中央部より上方に延出した長方形状の舌片１０２とによって一体形成されている。
【００６３】
前記隠蔽部材５１の表面には、富士山の意匠からなる内表示部１１１が部分的に印刷されており、容器体１１内部には、当該容器体１１の正面から視認できる前記内表示部１１１が設けられている。そして、この内表示部１１１の上部には、裏側を視認可能とする中視認領域１１２が設けられいる。なお、前記内表示部１１１は、前記隠蔽部材５１にシールを貼着して形成しても良い。また、この隠蔽部材５１は、平板状で無くても良く、コ字状や、容器本体の内面の沿った円弧又は円筒状や、Ｗ字状や、Ｖ字状であっても良い。
【００６４】
前記容器体１１の後面１２１には、該後面１２１のほぼ全域を覆う長方形状のシール１２２が貼着されており、容器体１１の背面側を形成するシール１２２の一面には、芳香剤の説明書きが印刷されている。また、このシール１２２における前記容器体１１に貼着された他面には、背景を構成する青空と太陽の意匠からなる後表示部１２３が全域に渡って印刷されており、該後表示部１２３上には、粘着性を有した無色透明の粘着層が全域に渡って形成されている。これにより、前記容器体１１の後面１２１には、正面から視認できる後表示部１２３が設けられている。なお、この後表示部１２３は、容器体１１の内面又は外面に直接印刷を施して形成しても良い。
【００６５】
この容器体１１の周面は、無色透明のシュリンクフィルム１３１により全周に渡って覆われており、該シュリンクフィルム１３１には、容器体１１の前面１３に位置する部位の下部側に、手前側の風景を構成する木や湖の意匠からなる前表示部１３２が印刷されている。これにより、容器体１１の前面１３には、正面から視認できる前表示部１３２が設けられており、該前表示部１３２の上部には、前記内表示部１１１及び前記後表示部１２３の両者を視認できる前視認領域１３３が残存されている。なお、前記前表示部１３２は、容器体１１の内面又は外面に直接印刷を施して形成しても良い。
【００６６】
以上の構成にかかる本実施の形態において、芳香液２６を吸い上げる芯材２７と容器体１１の前面１３との間に不透明な内表示部１１１を有した隠蔽部材５１を配設することにより、この隠蔽部材５１で前記芯材２７の少なくとも一部を隠蔽することができる。これにより、液体残量の視認性を確保しつつ、芯材２７の全域に渡る露出を防止することができる。
【００６７】
したがって、内部の芯材２７が全域に渡って外部から見える従来と比較して、外観品質を高めることができる。
【００６８】
このとき、前記容器体１１の前面１３には、当該容器体１１正面から視認できる前表示部１３２が設けられており、前記隠蔽部材５１の内表示部１１１の手前側に、前記前表示部１３２を視認することができる。これにより、遠近感を出すことができ、デザイン性の向上を図ることができる。
【００６９】
また、前記容器体１１の後面１２１には、当該容器体１１正面から視認できる後表示部１２３が設けられている。これにより、容器体１１内の隠蔽部材５１に設けられた内表示部１１１の奥側に、容器体１１の後面１２１のシール１２２に設けられた後表示部１２３が配置し、前記内表示部１１１の手前側に、前記容器体１１を覆うシュリンクフィルム１３１の前面１３部分に印刷された前表示部１３２を配置することができる。
【００７０】
このため、容器体１１正面からは、手前側の風景を構成する前表示部１３２の奥側に富士山からなる内表示部１１１を視認することができ、該内表示部１１１のさらに奥側に、背景を構成する後表示部１２３を視認することができる。このように、手前から順に配置された容器体１１の前面１３の前表示部１３２と、前記容器体１１内の内表示部１１１と、容器体１１後面１２１の後表示部１２３とを、容器本体１１正面から同時に視認することができる。
【００７１】
したがって、奥行き感の向上を図ることができ、デザイン性をさらに向上することができる。
【００７２】
そして、前記前表示部１３２は、前記容器体１１の前面１３に設けられており、前記後表示部１２３は、前記容器体１１の後面１２１に設けられている。このため、前記容器体１１の前面１３から後面１２１までの離間距離を奥行きとして有効に利用することができる。よって、容器体１１の径寸法を最大限に活用することができる。
【００７３】
なお、本実施の形態にあっては、容器体１１の前面１３の前表示部１３２を設け、かつ容器体１１の後面１２１の後表示部１２３を設けた場合を例に挙げて説明したが、これに限定されるものでは無く、いずれか一方の表示部１２１，１３２を形成することによって、奥行き感を出すことができる。
【００７４】
（第７の実施の形態）
【００７５】
図６は、第７の実施の形態を示す図であり、第１の実施の形態を異なる部分に付いてのみ説明し、同一又は同等の箇所は、同符号を付して説明を割愛する。
【００７６】
すなわち、芳香剤１の容器体１１の内部に収容された芳香液２６及び芯材２７は、着色されており、前記芳香液２６の色と前記芯材２７の色とは、同系色である同色に設定されている。
【００７７】
この芳香剤１にあっても、芳香液２６を収容した容器体１１の前面１３に設定された透視可能領域４１より、内部の芳香液２６の残量を確認することができる。このとき、前記芳香液２６を吸い上げる芯材２７と前記芳香液２６とは、同色に設定されており、前記芯材２７が前記芳香液２６に同化することによって、当該芯材２７を隠蔽することができる。これにより、芳香液２６残量の視認性を確保しつつ、芯材２７の露出を防止することができる。
【００７８】
したがって、内部の芯材２７が外部から見える従来と比較して、外観品質を高めることができる。
【００７９】
（第８の実施の形態）
【００８０】
図７は、第８の実施の形態を示す図であり、第１の実施の形態を異なる部分に付いてのみ説明し、同一又は同等の箇所は、同符号を付して説明を割愛する。
【００８１】
すなわち、芳香剤１の容器体１１の前面１３には、内部を透視可能な透視可能領域４１が設定されている。この透視可能領域４１と、容器体１１内に収容された芯材２７とは着色されており、該芯材２７の色と前記透視可能領域４１の色は、同系色である同色に設定されている。
【００８２】
この芳香剤１にあっても、芳香液２６を収容した容器体１１の前面１３の透視可能領域４１より、内部の芳香液２６の残量を確認することができる。このとき、前記芳香液２６を吸い上げる芯材２７と前記透視可能領域４１とは、同色に設定されており、前記芯材２７が前記透視可能領域４１と同化することによって、当該芯材２７を隠蔽することができる。これにより、芳香液２６残量の視認性を確保しつつ、芯材２７の露出を防止することができる。
【００８３】
したがって、内部の芯材２７が外部から見える従来と比較して、外観品質を高めることができる。
【００８４】
（第９の実施の形態）
【００８５】
図８のは、第９の実施の形態を示す図であり、第７の実施の形態を異なる部分に付いてのみ説明し、同一又は同等の箇所は、同符号を付して説明を割愛する。
【００８６】
すなわち、前記芯材２７には、前記透視可能領域４１と同系色である同色のフィルム７１が巻き付けられており、前記芯材２７と前記透視可能領域４１とが同系色に設定されている。
【００８７】
これにより、第７の実施の形態と同様の効果に加えて、芯材２７に巻き付けられたフィルム７１によって、前記芯材２７の隠蔽と芯材２７の保護とを同時に実現することできる。
【００８８】
【発明の効果】
以上説明したように本発明の請求項１の芯材の隠蔽構造にあっては、液体を吸い上げる芯材と容器体前面との間に不透明な隠蔽部材を配設することにより、この隠蔽部材で前記芯材の少なくとも一部を隠蔽することができる。
【００８９】
これにより、液体残量の視認性を確保しつつ、芯材の全域に渡る露出を防止することができる。
【００９０】
したがって、内部の芯材が外部から見える従来と比較して、外観品質を高めることができる。
【００９１】
また、請求項２の芯材の隠蔽構造においては、芯材を隠蔽する隠蔽部材を、着色や装飾による不透明部が形成されたフィルムで構成することによって、前記芯材を隠蔽しつつ、不透明部を構成する着色や装飾を表出することができる。
【００９２】
これにより、芯材の露出の防止と、デザインの向上とを図ることができる。
【００９３】
さらに、請求項３の芯材の隠蔽構造では、隠蔽部材で芯材を包囲することによって、芯材を、その全周面から隠蔽し、全方向への露出を防止することができる。
【００９４】
また、本発明の請求項４の芯材の隠蔽構造にあっては、液体を吸い上げる芯材と容器体前面との間に不透明な隠蔽部材を配設することにより、この隠蔽部材で前記芯材の少なくとも一部を隠蔽することができる。これにより、液体残量の視認性を確保しつつ、芯材の全域に渡る露出を防止することができる。
【００９５】
したがって、内部の芯材が外部から見える従来と比較して、外観品質を高めることができる。
【００９６】
このとき、前記容器体の前面には、当該容器体正面から視認できる前表示部が設けられており、前記隠蔽部材の内表示部の手前側に、前記前表示部を視認することができる。これにより、遠近感を出すことができ、デザイン性の向上を図ることができる。
【００９７】
さらに、本発明の請求項５の芯材の隠蔽構造では、液体を吸い上げる芯材と容器体前面との間に不透明な隠蔽部材を配設することにより、この隠蔽部材で前記芯材の少なくとも一部を隠蔽することができる。
【００９８】
これにより、液体残量の視認性を確保しつつ、芯材の全域に渡る露出を防止することができる。
【００９９】
したがって、内部の芯材が外部から見える従来と比較して、外観品質を高めることができる。
【０１００】
このとき、前記容器体の後面には、当該容器体正面から視認できる後表示部が設けられており、前記隠蔽部材の内表示部の奥側に、前記後表示部を視認することができる。これにより、遠近感を出すことができ、デザイン性の向上を図ることができる。
【０１０１】
そして、請求項６の芯材の隠蔽構造のように、前記容器体の前面に、当該容器体正面から視認できる前表示部と、前記内表示部及び前記後表示部の両者の少なくとも一部を視認できる前視認領域とを設けることで、前記隠蔽部材の内表示部の手前側に前表示部を視認できるとともに、奥側に前記後表示部を視認することができる。
【０１０２】
したがって、奥行き感の向上を図ることができ、デザイン性をさらに向上することができる。
【０１０３】
また、本発明の請求項７の芯材の隠蔽構造にあっては、液体を吸い上げる芯材と前記液体とを同系色に設定することで、前記芯材を前記液体に同化させて当該芯材を隠蔽することができる。これにより、液体残量の視認性を確保しつつ、芯材の露出を防止することができる。
【０１０４】
したがって、内部の芯材が外部から見える従来と比較して、外観品質を高めることができる。
【０１０５】
そして、本発明の請求項８の芯材の隠蔽構造にあっては、液体を吸い上げる芯材と、容器体に設けられた透視可能領域とを同系色に設定することで、前記芯材を前記透視可能領域と同化させ、当該芯材を隠蔽することができる。これにより、液体残量の視認性を確保しつつ、芯材の露出を防止することができる。
【０１０６】
したがって、内部の芯材が外部から見える従来と比較して、外観品質を高めることができる。
【０１０７】
また、請求項９の芯材の隠蔽構造においては、芯材に、透視可能領域と同系色のフィルムを巻き付け、芯材と透視可能領域とを同系色に設定したため、芯材の隠蔽と芯材の保護とを同時に実現することできる。
【図面の簡単な説明】
【図１】本発明の第１の実施の形態を示す正面図である。
【図２】同実施の形態の断面図である。
【図３】（ａ）は同実施の形態の要部を示すの説明図であり、（ｂ）は第２の実施の形態の要部を示す説明図である。
【図４】（ａ）は第３の実施の形態の要部を示す説明図、（ｂ）は第４の実施の形態の要部を示す説明図、（ｃ）は第５の実施の形態の要部を示す説明図である。
【図５】本発明の第６の実施の形態の要部を示す説明図である。
【図６】本発明の第７の実施の形態の要部を示す説明図である。
【図７】本発明の第８の実施の形態の要部を示す説明図である。
【図８】本発明の第９の実施の形態の要部を示す説明図である。
【符号の説明】
１１    容器体
１３    前面
２６    芳香剤
２７    芯材
４１    透視可能領域
５１    隠蔽部材
６１    装飾
１１１    内表示部
１１２    中視認領域
１２１    後面
１２３    後表示部
１３２    前表示部
１３３    前視認領域
【図１】
2004267382.tif 000003
【図２】
2004267382.tif 000004
【図３】
2004267382.tif 000005
【図４】
2004267382.tif 000006
【図５】
2004267382.tif 000007
【図６】
2004267382.tif 000008
【図７】
2004267382.tif 000009
【図８】
2004267382.tif 000010